(57)【要約】【課題】光に潜在している化学的性質を顕在化する方法として電場のみで可能にする方法を必要とする場合がある。この課題を解決する。【解決手段】電場に非対称性を持たせるには電場と磁場を結ぶ回転に注目する必要がある。回転は１回転を単位にしている。この１回転は対称性を意味する．半回転は非対称性を意味する。コイルを整数と半巻きとし、このコイルに単極電圧を加えることで軸方向に非対称な電場を創ることが出来る。この電場を通過する光はコイルの巻き方向と電場の極性できまる化学的性質を持つ。【選択図】図３
2006334586.tif 000002
【特許請求の範囲】
【請求項１】
金属線を２分の１回以上、整数回と２分の１回、右巻き、もしくは左巻きに巻いたコイルに正、または負の単極電圧を加えて得られる非対称単極電場。
【請求項２】
請求項１において該コイルに加える単極電圧をパルス状の単極電圧としたことを特徴とするパルス状非対称単極電場。
【請求項３】
請求項１、もしくは２の非対称単極電場を複数個使用する場合、互いにとなりあう非対称単極電場の極性が反転していることを特徴とする反転非対称単極電場。
【請求項４】
請求項１、もしくは２、もしくは３のいずれかの非対称単極電場内に水を含む液体をいれた容器を１分以上置く方法、および該方法に基づく装置。
【請求項５】
光を対象物に照射する投光装置において、該光の光路の途中に請求項１、もしくは２、もしくは３のいずれかの非対称単極電場を設置し、該光が該非対称単極電場を通過することを特徴とする投光装置。
【請求項６】
電流が電磁波、光、紫外線、Ｘ線に変換される変換部、例えば発振器、ランプ類、Ｘ線発生器において、該電流が請求項１、もしくは２、もしくは３のいずれかの非対称単極電場を通過したのち該変換部に供給されることを特徴とする方法、および該方法に基く変換部。
【請求項７】
空気、水をふくむ流体を搬送する配管の外周に流れにそって請求項１、もしくは２、もしくは３のいずれかの非対称単極電場配置し、該配管中を流れる該流体が該非対称単極電場を通過する配管。
【発明の詳細な説明】
【技術分野】
【０００１】  電場の作用に化学的性質をもたせることができる。電場を通過した光、および電流が変換された光は還元的作用と酸化的作用のどちらかを電場の種類と極性に応じて持つ。この光を照射された空気、水を含む流体は酸化的状態、還元的状態になる。
【背景技術】
【０００２】  非対称性を単極電場に導入するには形が非対称性をもつコイルを使用する必要がある。図１に示す１回半巻きコイル、半巻きコイルはコイルの軸方向に非対称である。このコイルに単極電場を加えると非対称単極電場が生成される。形、あるいは材質的に非対称性を有するコイルは非対称単極電場をつくる。
【発明の開示】
【発明が解決しようとする課題】
【０００３】  本発明者が発明した非対称静電磁場は光、電流、水、空気をふくむ流体の状態を化学的に酸化的状態、還元的状態するが、磁場を使用することで使用場所に制限がある。電場のみで同等の効果をえることが可能なれば用途を拡大できる。
【課題を解決するための手段】
【０００４】  粗に巻かれたコイル内電場に非対称性を持たせるにはコイルの巻数を整数ではなく、整数と半巻きにする．粗に巻かれたコイル内の電場は軸方向に非対称な電場となる。コイルの右巻きか、左巻きかと加えられる単極電場の極性によりコイル内の電場の作用は、酸化的化、還元的かのどちらかになる。
【発明の効果】
【０００５】  電場のみで、磁場を必要としないため使用場所が拡大できる。静電磁場の場合、鉄等の強磁性体内の水などの処理に使用するには工夫が必要となる。しかし、この非対称単極電場は、電場であるにもかかわらず、金属管内を流れる流体、光、電流に対して金属管外部からでも作用し、その状態を還元的、酸化的状態にする。外部にコイルを設置することで管内部の対象物の処理が可能となる。
【発明を実施するための最良の形態】
【０００６】  粗に巻かれた金属コイルを使う。その金属材料は鉄、銅、アルミニウム等、たやすく入手できるものでよい。巻き回数は通常の場合多く巻く必要はない。半巻き、または１回と半巻きでよい。コイル径と材料の寸法は処理対象により決める。電圧のみであるため電力は殆ど消費しない。単極電圧の極性を変えるだけで非対称単極電場の作用を反転できる。単極電圧は高い方が作用は強くなる。実験等に使用した電圧は１０−１００００Ｖの範囲である。５００Ｖ以上あれば殆どの対象で効果を得ることが出来る。なお、水の電気分解を考えて行った実験では加える単極電圧をパルス状とした方が高い分解効率をえられた。この場合でも電流は殆どながれない。通常の電気分解は大電流を流す必要があるが、電流が流れることはこの電気分解ではむしろマイナス要因であると考えられる。
【実施例１】
【０００７】  図２は商用電源から得られる電流を非対称単極電場処理（通過）した後、白熱電灯に供給している。非対称単極電場の違いにより白熱電灯の光の水にたいする作用が変わることを確認できる。このように電気コードの外側に右１回と半巻きコイルをとりつけ、単極電圧を加えるだけで交流電流に化学的性質を付与することができる。白熱電球の光の水にたいする作用はコイルと非対称単極電場の極性により決定される。白熱電灯の代りに赤外線灯、蛍光灯、紫外線灯を使用した実験においても全く同様な結果をえている。また、電子レンジを使用して同じ実験をしたが、同じ結果をえた。このことは、電流から変換されて得られる全ての電磁波、赤外線、可視光線、紫外線、Ｘ線は供給される電流に非対称単極電場処理をすることで化学的性質を持つ。直流電流に対しても、全く同様である。
【実施例２】
【０００８】  図３は紫外線灯の光を非対称単極電場処理した例である。垂直に立てた５００ｍｍのビニールパイプの頭部に紫外線灯が設置されている。中間の位置の外側に左１回と半巻きコイルが取り付けてある。低部には水を入れた透明な容器が置かれている。紫外線灯の紫外線はコイルの断面を通過して容器中の水を照射する。コイルに加えられる単極電場の極性を変えることで水の状態を゛還元的状態、酸化的状態に変えることができる。コイルを２回巻きに代えて実験したが、２回巻きコイルには右巻き、左巻きに関係なく光の状態を変える作用はない。つねに、水の状態は酸化的状態と還元的状態の中間，中性である。ビニールパイプの代りに同寸法の金属パイプをしようして実験したが、同様の結果をえた。非対称単極電場の作用は金属によりシールドされない。
【実施例３】
【０００９】  図４は金属容器のなかに水をいれ、その容器の外周に左１回と半巻きコイルをとりつけて行った実験である。通常の電場は金属によりシールドされる。この非対称電場はシールドされない事を確認できた。水は同じように酸化的状態、還元的状態になる。これまで述べた水の酸化的状態、還元的状態は水の中に還元剤として鉄たわし、塩化第一鉄、硫酸第一鉄、りんごジュース等をいれ、酸化速度の違いで確認した。状態の違いに対応する色、沈殿物の明確な違いが観察できている。なお、金属容器の場合、コイルは絶縁被覆を有する金属線を使用している。この絶縁被覆は作用には影響を与えない。
【実施例４】
【００１０】  図５は流れている水などの液体、また気体を処理するために複数個のコイルを使用する時のタンデム配置例である。この場合、コイルを複数個ならべて、同じ極性の非対称単極電場とする方法もあるが、左巻き、右巻きと交互にならべ、単極電圧の極性を反転して同じ作用の非対称単極電場とする、反転非対称単極電場とする方が効果的である。コイル間の距離はコイルのピッチ、もしくはその整数倍とする。実施例３からも分かるようにこの非対称電場は金属配管の外周にとりつける事により、配管中の流体を処理でききるため設置に費用がかからない。なお、図２、図３、図４はコイル１個の非対称単極電場を例示している。２個以上を使用して反転非対称単極電場とすると単極電場の電圧を下げることができる。例えば２００Ｖでも十分な効果をえることができた。
【産業上の利用可能性】
【００１１】  光に化学的性質を持たせることができる。光化学の分野で応用、例えば照射する光の状態を制御して反応速度をかえることができる。．放射線治療の分野での応用がある。Ｘ線照射量を大幅に削減できる。また、水処理、空気処理に利用できる。
【図面の簡単な説明】
【００１２】
【図１】半巻きコイルによる非対称単極電場の例示である。
【図２】非対称単極電場による電流処理の例示である。
【図３】非対称単極電場による光処理の例示である。
【図４】金属容器中の水の非対称単極電場による処理の例示である。
【図５】複数の非対称単極電場からなる反転非対称単極電場の配置の例示である。
【符号の説明】
【００１３】１  左１回半巻きコイル
２  右１回半巻きコイル
３  左半巻きコイル
４  右半巻きコイル
５  ビニールパイプ（長さ  ５００ｍｍ）
６  白熱電球  ６０Ｗ
７  紫外線灯  １５Ｗ
８  直流電圧発生器（±１０００Ｖ）
９  直流パルス電圧発生器（±１０００Ｖ）
１０  ソケット
１１  電気コード
１２  ３角フラスコ
１３  金属容器
１４  金属配管
【図１】
2006334586.tif 000003
【図２】
2006334586.tif 000004
【図３】
2006334586.tif 000005
【図４】
2006334586.tif 000006
【図５】
2006334586.tif 000007